(57)【特許請求の範囲】
【請求項１】
互いに逆方向に光信号が送信される０系、１系からなる伝送路によって複数のノード各々がリング状に接続された上、該ノード各々では、外部クロック供給装置から供給される１系統以上のクロック信号、上記伝送路上の光信号より抽出される１系統以上のクロック信号の中から、クロックそれぞれの品質を示す情報に基づき、最も品質レベルの高いクロックが自ノード内基準クロックとして選択されるべく、クロック切替処理が行われた上、選択されたクロックに同期して上記伝送路上に光信号が送信されるようにしたクロック同期方法であって、一定時間毎に該一定時間内でのノード内基準クロックの切替回数が監視されている状態で、該切替回数が特定回数以上に達したことを以て、自ノード内での自走クロックがノード内基準クロックとして選択されることによって、上記クロック切替処理が一時的に強制停止されるようにしたクロック同期方法。
【請求項２】
互いに逆方向に光信号が送信される０系、１系からなる伝送路によって複数のノード各々がリング状に接続された上、該ノード各々では、外部クロック供給装置から供給される１系統以上のクロック信号、上記伝送路上の光信号より抽出される１系統以上のクロック信号の中から、クロックそれぞれの品質を示す情報に基づき、最も品質レベルの高いクロックが自ノード内基準クロックとして選択されるべく、クロック切替処理が行われた上、選択されたクロックに同期して上記伝送路上に光信号が送信されるようにしたクロック同期方法であって、一定時間毎に該一定時間内での、クロックそれぞれの品質を示す情報の変化回数が監視されている状態で、該変化回数が特定回数以上に達したことを以て、自ノード内での自走クロックがノード内基準クロックとして選択されることによって、上記クロック切替処理が一時的に強制停止されるようにしたクロック同期方法。
【請求項３】
請求項１，２の何れかに記載の複数のノードのうち、ある特定のノードにおいては、外部クロック供給装置から供給される１系統以上のクロック信号、伝送路上の光信号より抽出される１系統以上のクロック信号のうち、少なくとも１部のクロック信号は自ノード内基準クロックの候補として自ノード内に入力されていないか、または選択不可とされるクロック同期方法。
【請求項４】
請求項１，２の何れかに記載の外部クロック供給装置からは、ＤＳ１データリンクのＥＳＦフォーマット以外のフォーマットでも、クロック信号がある特定ノードに供給可とされるクロック同期方法。
【請求項５】
請求項１，２の何れかに記載の伝送路は、ＩＴＵ−Ｔ準拠のＳＤＨにおけるＳＴＭ−Ｎインタフェース、またはＳＯＮＥＴにおけるＯＣ−Ｎインタフェースとされるクロック同期方法。
【発明の詳細な説明】
【０００１】
【発明の属する技術分野】
本発明は、複数ノードがリング状に接続された上、互いに双方向に信号が送信されるリング型ネットワークにおいて、ノード各々では、受信されるクロックの品質を示す情報（以下、これをＳＳＭ（Synchronization Status Message）と称す）を用いて網同期を図る際に、不安定状態を回避するためのクロック同期方法に関するものである。
【０００２】
【従来の技術】
現在、米国の同期網の標準であるベルコア（Bellcore）規格（GR―253―CORE  Issue 2）においては、網同期の高品質化とタイミングループ形成の回避とを目的として、網同期基準クロックの品質レベルをＳＯＮＥＴ（Synchronous Optical Network ）信号のオーバーヘッドのＳ１バイト、及び拡張スーパーフレームフォーマットＥＳＦ（Expanded Superframe Format）を有するＤＳ１データリンクを用いて隣接ノード間で互いに送受信し、それに基づき切替処理を行うＳＳＭ処理仕様が規定されている。
【０００３】
ここで、ベルコアで標準化されているＳＳＭとその意味、優先順位について説明すれば、表１に示すようである。
【０００４】
【表１】
0004146583.tif 000002
【０００５】
表１に示すように、品質レベル１のＰＲＳが最も品質が良く、品質レベル６のＳＴ４が最も品質が悪いものとなっている。また、ＤＵＳは、自ノードが対向局に従属同期している場合に、タイミングループの形成を回避する目的で、自ノードのクロックを対向局のクロックとして使用することを禁止すべく、その対向局に通知するためのメッセージである。更に、ＲＥＳは網同期用に予約された品質レベルであり、その優先順位はユーザにより決定されるものとなっている。ノード各々では受信ＳＳＭ値の変化が一定周期で監視されており、もしも、受信ＳＳＭ値の変化が検出された場合には、現に受信しているクロック全てについてそのＳＳＭ値が相互に比較されることで、最もクロック品質の高いクロックがノード内基準クロックとして選択された上、図３，図４に示すメッセージ処理を行うことが規定されたものとなっている。
【０００６】
以下、そのメッセージ処理の概要について説明すれば、ノード各々では伝送路より抽出されたクロック（Derived DS1）を外部クロック供給装置ＢＩＴＳ（Building Integrated Timing Supply）に送信する機能を有しており、ＥＳＦのＤＳ１データリンクによりＳＳＭを送信することも可能である。そのノードが外部タイミング動作時、Derived DS1 の送信設定がされていない場合は、ＢＩＴＳからＤＳ１データリンクにより受信されたＳＳＭが全ての光インタフェース部にて送信フレームのＳ１バイトに設定された上、送信されるものとなっている（図３中の項番１を参照のこと）。
【０００７】
そのノードが外部タイミング動作時、Derived DS1 の送信設定がされており、その抽出元の伝送路クロックの受信ＳＳＭ値が、ＢＩＴＳからＤＳ１データリンクにより受信されたＳＳＭと等しい場合は、ＤＵＳが抽出元の光インタフェース部にて送信フレームのＳ１バイトに設定された上、送信されるものとなっている（図３中の項番２を参照のこと）。
【０００８】
そのノードが外部タイミング動作時、Derived DS1 の送信設定がされており、その抽出元の伝送路クロックの受信ＳＳＭ値が、ＢＩＴＳからＤＳ１データリンクにより受信されたＳＳＭと等しくない場合は、ＢＩＴＳから受信されたＳＳＭが光インタフェース部にて送信フレームのＳ１バイトに設定された上、送信されるものとなっている（図３中の項番３を参照のこと）。
【０００９】
そのノードがラインタイミング動作時、現用系伝送路クロック抽出元以外の光インタフェース部にて現用系伝送路クロックの受信ＳＳＭ値が送信フレームのＳ１バイトに設定された上、送信されるものとなっている（図４中の項番１を参照のこと）。
【００１０】
そのノードがラインタイミング動作時、現用系伝送路クロック抽出元の光インタフェース部にてＤＵＳが送信フレームのＳ１バイトに設定された上、送信されるものとなっている（図４中の項番２を参照のこと）。
【００１１】
さて、以上の規定に基づいたリング型ネットワークにおける具体的なＳＳＭ処理例について説明すれば、例えばそのリング型ネットワークとして、図５に示すように、１つのＢＩＴＳと３ノード（ＮＥ＃１〜ＮＥ＃３）から構成されるものを考える。このネットワークでは、ＮＥ＃１はＢＩＴＳからのクロックに従属同期し、また、ＮＥ＃２はＮＥ＃１から送信される光信号より抽出された伝送路クロックによりＮＥ＃１に従属同期しており、更に、ＮＥ＃３はＮＥ＃２からの光信号より抽出された伝送路クロックによりＮＥ＃２に従属同期したものとなっている。この状態では、ＮＥ＃１からは、ＤＳ１データリンクによりＢＩＴＳから受信されたＰＲＳのＳＳＭがＮＥ＃２，ＮＥ＃３に向けて送信されているものである（図３中の項番１による）。また、ＮＥ＃２から現用系伝送路クロック送信元であるＮＥ＃１にはＤＵＳのＳＳＭが送信される一方（図４中の項番２による）、ＮＥ＃３には現用系伝送路クロックのＳＳＭであるＰＲＳが送信されたものとなっている（図４中の項番１による）。更に、ＮＥ＃３から現用系伝送路クロック送信元であるＮＥ＃２にはＤＵＳのＳＳＭが送信される一方（図４中の項番２による）、ＮＥ＃３には現用系伝送路クロックのＳＳＭであるＰＲＳが送信されたものとなっている（図４中の項番１による）。
【００１２】
以上の状態で、ＮＥ＃１−ＮＥ＃２間現用系伝送路に障害が発生した場合を想定すれば、ＮＥ＃２にはＤＵＳにより予備系伝送路クロックの選択不可が通知されていることから、選択可能な伝送路クロックがなくなった結果として、ＮＥ＃２はホールドオーバー状態におかれるものとなっている。これによりＮＥ＃２からＮＥ＃１，ＮＥ＃３に向けては、ホールドオーバー時でのクロック品質レベルであるＳＴ３のＳＳＭが送信されるものとなっている（図６を参照のこと）。さて、ＮＥ＃３ではＳＴ３がＳＳＭとして受信されたことで、表１に示す優先順位に従い受信ＳＳＭ値であるＳＴ３とＰＲＳとの比較が行われるが、予備系伝送路クロックのＳＳＭ値（ＰＲＳ）の方が高優先度なので、リファレンスクロックは予備系伝送路クロックを新たな現用系伝送路クロックとして、これに切替えされた上、現用系伝送路クロック送信元のＮＥ＃１にはＤＵＳが、また、ＮＥ＃２には現用系伝送路クロックのＳＳＭ値であるＰＲＳが送信されるものとなっている。（図７を参照のこと）。ＮＥ＃２では、ＳＳＭ値としてＰＲＳが受信されたことに伴い、表１に示す優先順位に従い伝送路障害状態と受信ＳＳＭ値であるＰＲＳの比較が行われるが、この比較結果として、リファレンスクロックは予備系伝送路クロックを新たな現用系伝送路クロックとして、これに切替えされるものとなっている。その後、ＮＥ＃２はホールドオーバー状態から回復され、クロックパスが逆回りのルートで自動的に救済され得るものである（図８を参照のこと）。
【００１３】
以上のように、ベルコアで標準化されているＳＳＭ処理仕様は、隣接ノード間でのタイミングループが自動的に回避可能であることや、常時、最も品質の良いリファレンスクロックに同期可能であること、リファレンスクロック障害時でもリング型ネットワークの形状の特徴を活かし、逆回りルートでクロックパスが自動的に救済可能であること等の利点から、リング型ネットワーク上で高品質な同期網を実現する上で有効な方法として採用されているのが実情である。
【００１４】
【発明が解決しようとする課題】
しかしながら、以上のＳＳＭ処理仕様による場合、障害発生等により受信ＳＳＭに変化が生じた際に、ノード各々でのＳＳＭ処理に一定時間要されることから、従属同期しているノードには遅延された状態としてＳＳＭが到着することは回避され得ないものとなっている。したがって、このＳＳＭ伝搬遅延に起因して、ある障害発生時には、ＳＳＭ処理上、無限ループに陥る虞があるというものである。  この不具合についてより具体的に説明すれば、例えば、１つのＢＩＴＳと３ノード（ＮＥ＃１〜ＮＥ＃３）から構成されるリング型ネットワークを考える。このリング型ネットワーク上では、ＮＥ＃１はＢＩＴＳからのクロックに従属同期しており、また、ＮＥ＃２，ＮＥ＃３はＮＥ＃１からの光信号より抽出された伝送路クロックによりＮＥ＃１に従属同期している場合が想定されたものとなっている。この状態では、ＮＥ＃１からは、ＢＩＴＳからＤＳ１データリンクにより受信されたＰＲＳのＳＳＭがＮＥ＃２，ＮＥ＃３に送信され（図３中の項番１による）、また、ＮＥ＃２から、現用系伝送路クロック送信元であるＮＥ＃１にはＤＵＳが送信される一方（図４中の項番２による）、ＮＥ＃３には現用系伝送路クロックのＳＳＭであるＰＲＳが送信されるものとなっている（図４中の項番１による）。更に、ＮＥ＃３から、現用系伝送路クロック送信元であるＮＥ＃１にはＤＵＳが送信される一方（図４中の項番２による）、ＮＥ＃２には現用系伝送路クロックのＳＳＭであるＰＲＳが送信されているものである（図４中の項番１による）。
【００１５】
さて、以上の状態で、ＢＩＴＳからのクロックに周波数障害が発生したとすれば、ＮＥ＃１はフリーラン状態に遷移された上、ＮＥ＃２，ＮＥ＃３に対しては、フリーラン状態時でのクロック品質レベルであるＳＭＣのＳＳＭが送信されるものとなっている（図９を参照のこと）。これによりＮＥ＃２，ＮＥ＃３では、それぞれ表１に示す優先順位に従い受信ＳＳＭ値であるＳＭＣとＰＲＳとの比較が行われるものである。この比較では、ＳＳＭ値（ＰＲＳ）の方が高優先であるので、それぞれ受信ＳＳＭ値がＰＲＳの方の伝送路クロックに切替が行われ、これが新たな現用系伝送路クロックとして選択され、また、ＮＥ＃２から現用系伝送路クロック送信元のＮＥ＃３にはＤＵＳが、ＮＥ＃３から現用系伝送路クロック送信元のＮＥ＃２にはＤＵＳがそれぞれ送信されたものとなっている（図１０を参照のこと）。これによりＮＥ＃２，ＮＥ＃３各々では、現用系伝送路クロックのＳＳＭ値がともにＤＵＳとなり、それが選択禁止となったのでホールドオーバー状態に遷移され、ＮＥ＃２はＮＥ＃３に、また、ＮＥ＃３はＮＥ＃２に、ホールドオーバー状態のＳＳＭ値であるＳＴ３が送信されるものとなっている（図１１を参照のこと）。これによりＮＥ＃２，ＮＥ＃３では、それぞれ表１に示す優先順位に従い受信ＳＳＭ値であるＳＭＣとＳＴ３との比較が行われるものである。この比較結果として、それぞれＳＳＭ値がＳＴ３の伝送路クロックに切替が行われ、これが新たな現用系伝送路クロックとして選択されるものとなっている。また、それぞれ現用系伝送路クロック送信元であるＮＥ＃３，ＮＥ＃２には再びＤＵＳが送信されるものとなっている（図１２を参照のこと）。
【００１６】
以降、図１１，図１２各々での処理が交互に繰返し行われることで、ＳＳＭ処理が無限ループに陥るというものである。これは、図９に示す時点では、ＮＥ＃２−ＮＥ＃３間での２つのクロックはフリーランクロックに従属同期しているので、ＳＳＭはＳＭＣでなければならないが、障害発生ノードから各ノード毎に順次ＳＳＭ処理が行われる必要があるためにＳＳＭの伝搬に遅延が生じ、ＳＳＭがＳＭＣではなくＰＲＳのままとなっているからである。
【００１７】
以上、要約すれば、現状の処理仕様ではＳＳＭの伝搬遅延は避けられず、ＳＳＭ処理が無限に継続する場合があるが、その場合での制御方法については何等規定されておらず、安定、かつ高品質な同期網を得る上での妨げとなっているのが実情である。
【００１８】
本発明の目的は、リング型ネットワーク上で、より高品質で、かつ網同期上、より安定とされた同期網が実現され得る、ノード各々でのクロック同期方法を供するにある。
【００１９】
【課題を解決するための手段】
上記目的は、互いに逆方向に光信号が送信される０系、１系からなる伝送路によって複数のノード各々がリング状に接続された上、該ノード各々では、外部クロック供給装置から供給される１系統以上のクロック信号、上記伝送路上の光信号より抽出される１系統以上のクロック信号の中から、クロックそれぞれの品質を示す情報に基づき、最も品質レベルの高いクロックが自ノード内基準クロックとして選択されるべく、クロック切替処理が行われた上、選択されたクロックに同期して上記伝送路上に光信号が送信されている際に、一定時間毎に該一定時間内でのノード内基準クロックの切替回数、またはクロックそれぞれの品質を示す情報の変化回数が監視されている状態で、該切替回数、または変化回数が特定回数以上に達したことを以て、自ノード内での自走クロックがノード内基準クロックとして選択されることによって、上記クロック切替処理が一時的に強制停止されることで達成される。クロック切替処理の一時的な強制停止により、既述のＳＳＭ処理が無限に継続することは回避されているものである。因みに、リング型ネットワークの何れかのノードにおいて、ＢＩＴＳからの、外部クロックとしてのリファレンスクロック障害が回復した場合には、そのノードがＢＩＴＳからの外部クロックに従属同期した後、網同期基準クロックとして内部クロック（自ノード内クロック）を選択していた該ノードでは、網同期基準クロックを表１に従い外部クロック、あるいは光信号から抽出される伝送路クロックに切替えされるものとなっている。
【００２０】
【発明の実施の形態】
以下、本発明の実施形態を図１，図２により説明する。
先ず図１は本発明に係るノードの一例での要部機能ブロック構成を示したものである。本例では、ＳＳＭ処理部２内の変化検出部２ｃでＳＳＭ値の変化が検出される度に、カウンタ２ｅが１カウントアップされるようにし、タイマ２ｄで決められたある時間Ｍの間に、そのカウント値がある許容回数を超えたら、網同期異常状態にあると判定の上、切替制御信号判定部２ｂからの制御信号によって、リファレンスクロック切替部６からは内部クロック生成部３からの内部クロックが選択出力されるように構成されたものとなっている。
【００２１】
より詳細に説明すれば、ノードに接続される伝送路がＩＴＵ−Ｔ準拠のＳＤＨ（Synchronous Digital Hierarchy ）におけるＳＴＭ−Ｎインタフェースであるか、またはＳＯＮＥＴにおけるＯＣ−Ｎインタフェースであるとして、伝送路上からのＳＯＮＥＴ／ＳＤＨ光信号（ＯＣ−Ｎ／ＳＴＭ−Ｎフレーム）は光インタフェース部１内の光／電気変換部１ａで電気信号に変換された状態として受信された上、伝送路クロックとＯＣ−Ｎ／ＳＴＭ−Ｎフレーム中のオーバーヘッド情報とに分離されているが、そのうち、伝送路クロックはリファレンスクロック切替部６に、また、オーバーヘッド情報はＳＳＭ検出部（ＯＨ）１ｂにそれぞれ転送されるものとなっている。ＳＳＭ検出部（ＯＨ）１ｂでは、オーバーヘッド情報のＳ１バイトのビット５〜８に示されたＳＳＭが検出されているが、このようにして検出されたＳＳＭ（Ｌ１），ＳＳＭ（Ｌ２）はＳＳＭ処理部２内の変化検出部２ｃおよびＳＳＭ比較部２ａに転送されるものとなっている。
【００２２】
一方、ＢＩＴＳからはＤＳ１  ＥＳＦのＤＳ１データリンクにＳＳＭが乗せられて送信されているが、ＥＳＦのＤＳ１データリンクによりＢＩＴＳからメタル伝送路を介し送信されているＤＳ１信号は、ＢＩＴＳクロック受信部４に入力された上、ＤＳ１クロックとＤＳ１データリンクデータとに分離されるものとなっている。このうち、ＤＳ１クロックはリファレンスクロック切替部６に、また、ＤＳ１データリンクデータはＳＳＭ検出部（ＤＳ１データリンク）５にそれぞれ転送されるものとなっている。ＳＳＭ検出部（ＤＳ１データリンク）５では、ＤＳ１データリンクにより通知されている、ＤＳ１信号のＳＳＭが検出された上、ＳＳＭ（ＤＳ１）としてＳＳＭ処理部２内のＳＳＭ比較部２ａおよび変化検出部２ｃに転送されたものとなっている。因みに、ＢＩＴＳでＤＳ１  ＥＳＦがサポートされていない場合は、ＳＳＭ検出部（ＤＳ１データリンク）５でのＳＳＭ検出は不可とされているので、ＳＳＭ検出部（ＤＳ１データリンク）５ではＢＩＴＳからのＳＳＭはＳＴＵ固定として以降の処理が行われるものとなっている。
【００２３】
結局、ＳＳＭ比較部２ａでは、ＳＳＭ（Ｌ１）、ＳＳＭ（Ｌ２）およびＳＳＭ（ＤＳ１）の値から、表１に従い選択優先度が判定された上、何れのリファレンスクロックが最も選択優先度が高いかが、選択優先度として切替制御信号判定部２ｂに転送されたものとなっている。一方、ＳＳＭ変化検出部２ｃでは、ＳＳＭ（Ｌ１）、ＳＳＭ（Ｌ２）、ＳＳＭ（ＤＳ１）各々が変化しているか否かの監視が常時行われており、何れかのＳＳＭの変化が検出される度に、カウンタ２ｅが１カウントアップされるものとなっている。カウンタ２ｅはタイマ２ｄにより時間Ｍ毎に周期的にリセットされていることから、そのカウンタ２ｅでは、３種類のＳＳＭ各々についての変化回数が時間Ｍ内でカウントされているものであり、そのカウント値は切替制御信号判定部２ｂに転送されたものとなっている。
【００２４】
さて、切替制御信号判定部２ｂでは、ＳＳＭ比較部２ａからの選択優先度と、カウンタ２ｅからのカウント値とにもとづき、以下の処理が表２に従い行われるものとなっている。
【００２５】
【表２】
0004146583.tif 000003
【００２６】
即ち、外部タイミング動作時でＳＳＭ検出部（ＤＳ１データリンク）５からのＳＳＭ（ＤＳ１）の品質レベルが１〜４で、かつカウンタ値＜Ｎであれば、表２中に項番１として示すように、リファレンスクロック切替部６にはＤＳ１クロックを選択すべき旨の制御信号が出力されるとともに、送信ＳＳＭ１、送信ＳＳＭ２はともにＳＳＭ（ＤＳ１）に設定された上、ＳＳＭ挿入部（ＯＨ）１ｃに転送されるものとなっている。
【００２７】
また、外部タイミング動作時でＳＳＭ検出部（ＤＳ１データリンク）５からのＳＳＭ（ＤＳ１）の品質レベルが５以下で、かつカウント値＜Ｎであれば、表２中に項番２として示すように、リファレンスクロック切替部６には内部クロックを選択すべき旨の制御信号が出力されるとともに、送信ＳＳＭ１、送信ＳＳＭ２はともにＳＴ３に設定された上、ＳＳＭ挿入部（ＯＨ）１ｃに転送されるものとなっている。
【００２８】
更に、外部タイミング動作時で、カウント値≧Ｎであれば、表２中に項番３として示すように、受信ＳＳＭとは無関係に、リファレンスクロック切替部６には内部クロックを選択すべき旨の制御信号が出力されるとともに、送信ＳＳＭ１、送信ＳＳＭ２はともにＳＭＣに設定された上、ＳＳＭ挿入部（ＯＨ）１ｃに転送されるものとなっている。
【００２９】
一方、ラインタイミング動作時での制御であるが、ＳＳＭ検出部（ＯＨ）１ｂからのＳＳＭ（Ｌ１），ＳＳＭ（Ｌ２）のうち、少なくとも何れか一方の品質レベルが１〜４であり、ＳＳＭ（Ｌ１）＞ＳＳＭ（Ｌ２）で、かつカウント値＜Ｎであれば、表２中に項番４として示すように、リファレンスクロック切替部６には伝送路クロック１を選択すべき旨の制御信号が出力されるとともに、送信ＳＳＭ１、送信ＳＳＭ２は、それぞれＤＵＳ、ＳＳＭ（Ｌ１）に設定された上、ＳＳＭ挿入部（ＯＨ）１ｃに転送されるものとなっている。
【００３０】
同じく、ラインタイミング動作時で、ＳＳＭ検出部（ＯＨ）１ｂからのＳＳＭ（Ｌ１），ＳＳＭ（Ｌ２）のうち、少なくとも何れか一方の品質レベルが１〜４であり、ＳＳＭ（Ｌ１）＜ＳＳＭ（Ｌ２）で、かつカウント値＜Ｎであれば、表２中に項番５として示すように、リファレンスクロック切替部６には伝送路クロック２を選択すべき旨の制御信号が出力されるとともに、送信ＳＳＭ１、送信ＳＳＭ２は、それぞれＳＳＭ（Ｌ２）、ＤＵＳに設定された上、ＳＳＭ挿入部（ＯＨ）１ｃに転送されるものとなっている。
【００３１】
同じくまた、ラインタイミング動作時で、ＳＳＭ検出部（ＯＨ）１ｂからのＳＳＭ（Ｌ１），ＳＳＭ（Ｌ２）の品質レベルがともに５以下であり、かつカウント値＜Ｎであれば、表２中に項番６として示すように、リファレンスクロック切替部６には内部クロックを選択すべき旨の制御信号が出力されるとともに、送信ＳＳＭ１、送信ＳＳＭ２はともにＳＴ３に設定された上、ＳＳＭ挿入部（ＯＨ）１ｃに転送されるものとなっている。
【００３２】
更に、ラインタイミング動作時で、カウンタ値≧Ｎであれば、表２中に項番７として示すように、受信ＳＳＭとは無関係に、リファレンスクロック切替部６には内部クロックを選択すべき旨の制御信号が出力されるとともに、送信ＳＳＭ１、送信ＳＳＭ２はともにＳＭＣに設定された上、ＳＳＭ挿入部（ＯＨ）１ｃに転送されるものとなっている。
【００３３】
例えばラインタイミング動作時に、ＳＳＭ（Ｌ１）がＳＴ３、ＳＳＭ（Ｌ２）がＰＲＳで、カウント値＜Ｎであれば、表２中の項番５に従い、伝送路クロック２を選択すべき旨の制御信号がリファレンスクロック切替部６に転送される一方、送信ＳＳＭ１、送信ＳＳＭ２は、それぞれＰＲＳ、ＤＵＳに設定された上、ＳＳＭ挿入部（ＯＨ）１ｃに転送されているものである。また、クロック切替部６では、伝送路クロック、ＤＳ１クロックおよび内部クロックの中から、切替制御判定部２ｂからの制御信号に従って、何れか１つの適当なリファレンスクロックが選択出力されているが、その選択出力されたクロックはＰＬＬ７でノード内クロックとして生成された上、光インタフェース部１を始めとして、ノード内に配信されているものである。 更に、ＳＳＭ挿入部（ＯＨ）１ｃでは、切替制御判定部２ｂからの送信ＳＳＭ１、送信ＳＳＭ２の値は光信号オーバーヘッドのＳ１バイトのビット５〜８に挿入された上、電気／光変換部１ｄを介し、ＰＬＬ７からのノード内クロックに同期した光信号として対向ノードに向けて送信されているものである。因みに、リングネットワーク内のノード各々ではＤＳ１クロック入力障害情報８を常時監視の上、全ノードがＤＳ１クロック入力障害状態にある間は、制御保持部２ｆにてフリーラン制御が継続されるよう、制御信号が保持されるような制御が採れるものである。
【００３４】
なお、以上の例では、ノード各々には内部クロックは必須として、これ以外に３種類のクロックが自ノード内基準クロックの候補として用意されているが、必ずしも、これら３種類のクロックは全て用意される必要はなく、少なくとも１種類のクロックが用意されている必要があるものとなっている。また、たとえ、複数種類のクロックが用意されていたとしても、これらクロックを全て自ノード内基準クロックの候補として使用する必要はなく、任意に選択の上、自ノード内基準クロックの候補として使用すればよいものとなっている。更に、リングネットワーク内の複数のノードのうち、マスターとしての特定ノードには、通常、ＢＩＴＳが具備されるが、複数のＢＩＴＳが具備される場合もあり得るものとなっている。
【００３５】
以上、本発明に係るノードの一例について説明したが、ＳＳＭの変化回数をカウントする代りに、一定時間Ｍ内での網同期基準クロックの切替発生回数をカウントすることによっても、網同期異常状態が判定され得るものとなっている。この場合での要部機能ブロック構成を図２に示す。図示のように、同一部分に異なる符号が付されているにしても、既述のＳＳＭ処理部２がＳＳＭ処理部１０に置換されていることのみが実質的に異なっており、これ以外の事情は図１に示すものに同様となっている。このＳＳＭ処理部１０について説明すれば、ＳＳＭ比較部１０ａでは、ＳＳＭ比較部２ａと同様、ＳＳＭ（Ｌ１）、ＳＳＭ（Ｌ２）およびＳＳＭ（ＤＳ１）の値から、表１に従い選択優先度が判定された上、何れのリファレンスクロックが最も選択優先度が高いかが、選択優先度として切替制御信号判定部１０ｂに転送されたものとなっている。一方、リファレンスクロック切替のための制御信号はその変化が変化検出部１０ｃで監視されたものとなっている。その変化が検出される度に、カウンタ１０ｅが１カウントアップされるものとなっている。カウンタ１０ｅはタイマ１０ｄにより時間Ｍ毎に周期的にリセットされていることから、そのカウンタ１０ｅでは、制御信号の変化回数、したがって、切替発生回数が時間Ｍ内でカウントされているものであり、そのカウント値は切替制御信号判定部１０ｂに転送されたものとなっている。切替制御信号判定部１０ｂでは、ＳＳＭ比較部１０ａからの選択優先度と、カウンタ１０ｅからのカウント値とにもとづき、同様な処理が表２に従い行われているものである。図１に示すものと同様にして、リングネットワーク内のノード各々ではＤＳ１クロック入力障害情報１６を常時監視の上、全ノードがＤＳ１クロック入力障害状態にある間は、制御保持部１０ｆにてフリーラン制御が継続されるよう、制御信号が保持されるような制御が採れるものである。
【００３６】
【発明の効果】
以上、説明したように、本発明によれば、リング型ネットワーク上で、より高品質で、かつ網同期上、より安定とされた同期網が実現され得る、ノード各々でのクロック同期方法が得られるものとなっている。具体的には、ＳＳＭによる異常切替やＳＳＭ処理の無限ループが回避されたことによって、リング型ネットワーク上でより高品質で、かつ安定な同期網が実現され得るものとなっている。
【図面の簡単な説明】
【図１】図１は、本発明に係るノードの一例での要部機能ブロック構成を示す図
【図２】図２は、本発明に係るノードの他の例での要部機能ブロック構成を示す図
【図３】図３は、ベルコアで標準化されている外部タイミング動作時でのＳＳＭ処理仕様を示す図
【図４】図４は、ベルコアで標準化されているラインタイミング動作時でのＳＳＭ処理仕様を示す図
【図５】図５は、リング型ネットワークにおける現状のＳＳＭ処理によるクロックパス再構築例を示す図（その１）
【図６】図６は、リング型ネットワークにおける現状のＳＳＭ処理によるクロックパス再構築例を示す図（その２）
【図７】図７は、リング型ネットワークにおける現状のＳＳＭ処理によるクロックパス再構築例を示す図（その３）
【図８】図８は、リング型ネットワークにおける現状のＳＳＭ処理によるクロックパス再構築例を示す図（その４）
【図９】図９は、ＳＳＭの伝搬遅延に起因して切替処理が無限ループに陥る例を示す図（その１）
【図１０】図１０は、ＳＳＭの伝搬遅延に起因して切替処理が無限ループに陥る例を示す図（その２）
【図１１】図１１は、ＳＳＭの伝搬遅延に起因して切替処理が無限ループに陥る例を示す図（その３）
【図１２】図１２は、ＳＳＭの伝搬遅延に起因して切替処理が無限ループに陥る例を示す図（その４）
【符号の説明】
１，９…光インタフェース部、２，１０…ＳＳＭ処理部、２ａ，１０ａ…ＳＳＭ比較部、２ｂ，１０ｂ…切替制御信号判定部、２ｃ，１０ｃ…変化検出部、２ｄ，１０ｄ…タイマ、２ｅ，１０ｅ…カウンタ、３，１１…内部クロック生成部、４，１２…ＢＩＴＳクロック受信部、５，１３…ＳＳＭ検出部（ＤＳ１データリンク）、６，１４…リファレンスクロック切替部、７，１５…ＰＬＬ
【図１】
0004146583.tif 000004
【図２】
0004146583.tif 000005
【図３】
0004146583.tif 000006
【図４】
0004146583.tif 000007
【図５】
0004146583.tif 000008
【図６】
0004146583.tif 000009
【図７】
0004146583.tif 000010
【図８】
0004146583.tif 000011
【図９】
0004146583.tif 000012
【図１０】
0004146583.tif 000013
【図１１】
0004146583.tif 000014
【図１２】
0004146583.tif 000015